(57)【要約】      （修正有）【課題】インパクトドリル等の電動工具が発生する音と、作業面から発生する音を容易に防音することができる、手元防音装置を提供する。【解決手段】手元防音装置は、底面を開口した箱状の本体１と、本体１の上部に設け、本体内部に作業者が腕を入れるための開口部２と、本体１の底面の周縁部に固定するシール部材３と、からなる。【選択図】図２
2020160306.tif 000002
【特許請求の範囲】
【請求項１】
底面を開口した箱状の本体と、
前記本体の上部に設け、前記本体内部に作業者が腕を入れるための開口部と、
前記本体の底面の周縁部に固定するシール部材と、からなる、
手元防音装置。
【請求項２】
請求項１に記載の手元防音装置において、
前記本体の上部に、視認部を設けることを特徴とする、
手元防音装置。
【請求項３】
請求項１又は２に記載の手元防音装置において、
前記開口部の周縁部に、可撓性を有する開口部カバーを設けることを特徴とする、
手元防音装置。
【請求項４】
請求項３に記載の手元防音装置において、
前記開口部カバーの上部に、上部開口を絞るバンドを設けることを特徴とする、
手元防音装置。
【請求項５】
請求項１乃至請求項４のいずれか一項に記載の手元防音装置において、
前記本体の内面及び／又は外面に、防音材を貼りつけることを特徴とする、
手元防音装置。
【請求項６】
請求項１乃至請求項５のいずれか一項に記載の手元防音装置において、
前記本体の内部に、内部照明を設けることを特徴とする、
手元防音装置。
【発明の詳細な説明】
【技術分野】
【０００１】
本発明は、電動工具による作業時の騒音を遮断する、手元防音装置に関する。
【背景技術】
【０００２】
インパクトドリル等の電動工具を用いて木製床面を穿孔する場合には、騒音が発生する。
この騒音には、電動工具のモータや内部機構、回転部が発生する音と、穿孔を行う作業面から発生する音がある。
【０００３】
都市部の作業現場において、特に夜間作業時に穿孔作業を行う場合には、騒音が近隣の住民からの苦情の要因となることがある。
騒音対策としては、単管パイプを組み上げて、防音シートを配設した防音テントを用いる方法が知られている。
また、電動工具の防音具として、電動ドリル用の防音カバーが特許文献１に記載されている。
【先行技術文献】
【特許文献】
【０００４】
【特許文献１】特開２００３−７１６２０号公報
【発明の概要】
【発明が解決しようとする課題】
【０００５】
前記した防音テントや防音カバーにおいては、以下のような課題がある。
（１）防音テントは設営・解体作業に時間を要するため、夜間作業等の限られた時間内での使用は困難である。
（２）特許文献１に記載の防音カバーは、電動ドリルが発生する音は防音することができるが、作業面から発生する音は防音できない。
【０００６】
本発明は、インパクトドリル等の電動工具が発生する音と、作業面から発生する音を容易に防音することができる、手元防音装置を提供することを目的とする。
【課題を解決するための手段】
【０００７】
上記課題を解決するためになされた本願の第１発明は、底面を開口した箱状の本体と、前記本体の上部に設け、前記本体内部に作業者が腕を入れるための開口部と、前記本体の底面の周縁部に固定するシール部材と、からなる、手元防音装置を提供する。
本願の第２発明は、第１発明において、前記本体の上部に、視認部を設けることを特徴とする。
本願の第３発明は、第１発明又は第２発明において、前記開口部の周縁部に、可撓性を有する開口部カバーを設けることを特徴とする。
本願の第４発明は、第３発明において、前記開口部カバーの上部に、上部開口を絞るバンドを設けることを特徴とする。
本願の第５発明は、第１発明乃至第４発明のいずれかにおいて、前記本体の内面及び／又は外面に、防音材を貼りつけることを特徴とする。
本願の第６発明は、第１発明乃至第５発明のいずれかにおいて、前記本体の内部に、内部照明を設けることを特徴とする。
【発明の効果】
【０００８】
本発明は、上記した課題を解決するための手段により、次のような効果を得ることができる。
（１）本体が軽量であるため、容易に持ち運びできる。
（２）作業者が直接、電動工具を手に持って操作でき、視認部から本体内部を視認できるため、作業効率が高い。
（３）電動工具と作業面を防音効果の高い本体で囲うことで、電動工具が発生する音と、作業面から発生する音のどちらも、容易に防音することができる。
（４）防音テントの設営・解体作業が不要となるため、作業時間を長く確保することができ、工期を短縮することができる。
【図面の簡単な説明】
【０００９】
【図１】本発明の手元防音装置の斜視図
【図２】本発明の手元防音装置の使用状態の説明図
【図３】実施例２にかかる手元防音装置の使用状態の説明図
【図４】実施例２にかかる手元防音装置の斜視図
【発明を実施するための形態】
【００１０】
以下、図面を参照しながら本発明の実施の形態について説明する。
【００１１】
［実施例１］
［１］手元防音装置の構成
本発明の手元防音装置は、底面を開口した本体１と、本体１の上部に設ける開口部２と、本体１の底面の周縁部に固定するシール部材３と、を有する（図１）。
【００１２】
（１）本体１
本体１は、底面を開口した、ポリエチレンからなる箱体であり（図２）、外面と内面にそれぞれ、一般的な市販の防音効果のある防音材からなる外カバー１１、内カバー１２を接着剤等により貼りつけて構成する。防音材は、エラスタイトやウレタン、グラスウール、スポンジ、ブチルゴム、ポレオレフィン等で作ることができる。
本体１が、ポリカーボネイト等の軽量で強度及び防音効果の高い部材からなる場合には、外カバー１１、内カバー１２のいずれかを使用する構成としてもよいし、いずれも使用しない構成としてもよい。
本体１は一体成型するとよい。
本体１の上部には、本体１を持ち運びするための持ち手１３を設ける。
本体１は、内部にインパクトドリル等の電動工具５を収めて用いるものであり、作業面７に対する電動工具５の角度を調整することができるように、内部の容積を決定する。
本体１は軽量であるため、容易に持ち運びできる。
【００１３】
（２）開口部２
本体１上部には、作業者が本体１内部に腕６を入れることができる開口部２を形成する。また、開口部２の周縁部には可撓性を有する防音材からなる開口部カバー２１を設ける。
可撓性を有する開口部カバー２１により、本体１上部の開口が上方に延長されることで、作業者が容易に本体１内部に腕６を入れることができる。
【００１４】
（３）シール部材３
本体１の底面の開口の周縁部には、エラスタイトやスポンジゴム等の弾性を有するシール部材３を設ける。
本体１の底面と作業面７との間に位置するシール部材３が、本体１の重さにより圧縮変形することにより、作業面７に不陸があっても、本体１と作業面７との間に隙間ができるのを防止する。
【００１５】
（４）視認部４
本体１の上部には、さらに、本体１内部を視認するための視認部４を開口する。視認部４は透明なプラスチックや樹脂により封止することが好ましい。本体１や外カバー１１、内カバー１２が透明な素材であり、外部から内部を視認できる場合には、視認部４を開口する必要はない。
【００１６】
［２］手元防音装置の使用形態
作業時には、開口部２から腕６を入れ、本体１の底面側から電動工具５を本体１内に配置して持つ。
そして、施工を行う作業面７上に本体１を配置して作業を行う。作業者が直接、電動工具５を手に持って操作でき、視認部４から本体１内部を視認できるため、作業効率が高い。
電動工具５と作業面７を防音効果の高い本体１で囲うことで、電動工具５の発生する音と作業面７から発生する音のどちらも防音することができる。
本体１は軽量であるため、作業箇所への搬入も容易であり、持ち運びもできるため、作業箇所の変更も容易である。また、本体１が軽量であるため持ちながらの作業も容易であることから、本発明の手元防音装置は、作業面７が床面に限定されず、壁面での作業にも適用することができる。
通常行っていた防音テントの設営・解体作業が不要となるため、作業時間を長く確保することができ、工期を短縮することができる。
【００１７】
［３］騒音計測結果
騒音源から水平に２ｍ、高さ１．２ｍの位置で充電式インパクトドリルを用いて木製床面上で作業したときの、本発明の手元防音装置を使用しない場合と使用した場合のそれぞれの計測結果を示す。
本体１：ポリエチレン（一体成型）  １．５ｍｍ厚
外カバー１１：ポリオレフィン製防音材  １ｍｍ厚
シール部材３：エラスタイト  １０ｍｍ厚
2020160306.tif 000003
【００１８】
［実施例２］
（１）内部照明８
本体１の内部には、内部照明８を設けてもよい（図３）。
本体１や外カバー１１、内カバー１２が不透明な素材からなる場合には、視認部４から作業面７の作業箇所を視認できないおそれもある。このとき、内部照明８で作業箇所を照らすことで、視認部４から作業箇所を視認できる。
【００１９】
（２）バンド
開口部カバー２１の上部には、腕を入れる上部開口を絞るためのバンド２１１を設けてもよい（図３、４）。
バンド２１１により開口部カバー２１の上部開口を絞ることで、腕と開口部カバー２１間の隙間を減らし、防音効果を高めることができる。
【符号の説明】
【００２０】
１…本体、１１…外カバー、１２…内カバー、１３…持ち手
２…開口部、２１…開口部カバー、２１１…バンド
３…シール部材
４…視認部
５…電動工具
６…腕
７…作業面
８…内部照明
【図１】
2020160306.tif 000004
【図２】
2020160306.tif 000005
【図３】
2020160306.tif 000006
【図４】
2020160306.tif 000007